(57)【要約】【課題】本発明は、遠投する際、音が発生する釣り用錘を提供することを目的としている。【解決手段】釣り用錘５は、貫通するように設けられた通路５１を有する錘本体５０と、通路５１に連通するように設けられた笛７とを備えているものである。【選択図】図２
2004159605.tif 000002
【特許請求の範囲】
【請求項１】
貫通するように設けられた通路を有する錘本体と、
前記通路に連通するように設けられた笛と、
を備えていることを特徴とする釣り用錘。
【請求項２】
貫通するように設けられた通路を有するルア−本体と、
前記通路に連通するように設けられた笛と、
を備えていることを特徴とするルア−。
【請求項３】
貫通するように設けられた通路を有する浮き本体と、
前記通路に連通するように設けられた笛と、
を備えていることを特徴とする釣り用浮き。
【発明の詳細な説明】
【０００１】
本発明は、釣り用錘、釣り用浮き及びルア−に係り、特に、遠投する際、音が発生する釣り用錘、釣り用浮き及びルア−に関する。
【０００２】
【従来の技術】
従来、釣り用錘に、音を発生する機構を備えたものがある（例えば、特許文献参照）。
これは、釣り用錘本体内に空所を形成し、この空所に金属製の玉を移動自在に収納したもので、投げ終った後、釣り中釣り用錘を動かすことにより音を発生させて、音に興味を示す魚を引きつけるようにしたものである。
【０００３】
【特許文献】
特開平９−３１３０８２号公報
【０００４】
【発明が解決しようとする課題】
しかしながら、上述した釣り用錘にあっては、遠投する際、金属製の玉は空所を形成する壁に移動して当接するだけで、音が発生せずおもしろさに欠けると共に、釣り用錘等の遠投方向を音によって確認しづらく、夜間においては不便であり、特に、投げ損じた場合、他人が危険回避しにくいという問題点があった。
【発明が解決しようとする課題】
本発明は、上述した問題点を考慮してなされたもので、遠投する際、音を発生する釣り用錘、釣り用浮き及びルア−を提供するものである。
【０００５】
【課題を解決するための手段】
上記目的を達成するために、請求項１記載の釣り用錘は、貫通するように設けられた通路を有する錘本体と、前記通路に連通するように設けられた笛とを備えているものである。
【０００６】
また、請求項２記載のルア−は、貫通するように設けられた通路を有するルア−本体と、前記通路に連通するように設けられた笛とを備えているものである。
【０００７】
また、請求項３記載の釣り用浮きは、貫通するように設けられた通路を有する浮き本体と、前記通路に連通するように設けられた笛とを備えているものである。
【０００８】
【実施例】
本発明の一実施例の釣り用錘、釣り用浮き及びルア−を図面を参照して説明する。
（実施例１）
図１及び図２において、Ａは釣具で、釣具Ａは、概略的に、竿１、リ−ル２、ガイド３、道糸４、釣り用錘５、釣り針６等により構成されている。
釣り用錘５は、内部に貫通するように設けられた通路５１を有する錘本体５０と、通路５１に連通するように設けられた笛７とを備えている。ここで、「通路５１に連通するように設けられ」とは、図２に示すように、通路５１の端部に笛７が設けられている場合の他、図示しないが、通路５１の中途に笛７が設けられている場合は勿論のこと、図８に示すように、通路５１に連通すると共に、通路５１の端部の外側に笛７が設けられている場合をも含む意であり、笛７の吸い込み側通気孔７１は、通路５１に連通している。
錘本体５０は長手形状部材で、通路５１は錘本体５０の長手方向に沿うように設けられている。笛７は通路５１の両開口端５Ａ、５Ｂの内、道糸４に取り付けた部分に遠い側の開口端５Ｂより近い側の開口端５Ａに近い側に位置している。
開口端５Ｂは、空気吸い込み口で、開口端５Ａは空気吐き出し口となっている。
笛７は中空体で、笛７の一方には吸い込み側通気孔７１が、笛７の他方には吐き出し側通気孔７２が、それぞれ位置し、吸い込み側通気孔７１と開口端５Ｂが、吐き出し側通気孔７２と開口端５Ａが、それぞれ対向するようになっている。そして、吸い込み側通気孔７１の径Ｒ２  は、通路５１の貫通孔の径Ｒ１  より小さく（Ｒ１  ＞Ｒ２  ）、また、吐き出し側通気孔７２の径Ｒ２  は、通路５１の貫通孔の径Ｒ１  より小さくなっている（Ｒ１  ＞Ｒ２  ）。
また、錘本体５０は、例えば、鉛で形成され、道糸４の中途には、釣り用錘５に取り付けられた略Ｌ字形状の部材８が設けられている。なお、部材８は、例えば、針金で形成され、略Ｌ字形状としたが、これに限らず、略Ｖ字形状としても良く、適宜な形状となっている。
【０００９】
従って、使用者が竿１を持って遠投すると、図２に示すように、錘本体５０の通路５１内に空気が導かれ、この空気が吸い込み側通気孔７１、吐き出し側通気孔７２を通り抜けることにより音が発生する。
その結果、釣り用錘５によれば、音の発生によりおもしろさが増すと共に、釣り用錘５の遠投方向の位置を音により確認することができ、目視では飛行位置を確認できない夜間においては、特に有効であり、更に、投げ損じた釣り用錘５が音を発することにより、他人へ注意を喚起させ、危険をも回避させることが可能となる。
【００１０】
（実施例２）
上述の実施例は、笛７を釣り用錘５に設けたが、本発明にあってはこれに限らず、例えば、図３及び図４に示すように、ルア−８（擬似餌）にも同様に適用できるものである。なお、図３及び図４においては、図１及び図２と同一部分に同一符号を付して、その説明を一部省略している。
ルア−８（擬似餌）は、内部に貫通するように設けられた通路８１を有するルア−本体８０と、通路８１に連通するように設けられた笛７とを備えている。ここで、「通路８１に連通するように設けられ」とは、図４に示すように、通路８１の中途に笛７が設けられている場合の他、図示しないが、通路８１の端部に笛７が設けられている場合は勿論のこと、図示しないが、通路８１に連通すると共に、通路８１の端部の外側に笛７が設けられている場合をも含む意であり、笛７の吸い込み側通気孔７１は、通路８１に連通している。
ルア−本体８０は長手形状部材で、通路８１はルア−本体８０の長手方向に沿うように設けられている。笛７は通路８１の両開口端８Ａ、８Ｂの内、道糸４に取り付けた部分に遠い側の開口端８Ｂより近い側の開口端８Ａに近い側に位置している。
開口端８Ｂは、空気吸い込み口で、開口端８Ａは空気吐き出し口となっている。
笛７は中空体で、笛７の一方には吸い込み側通気孔７１が、笛７の他方には吐き出し側通気孔７２が、それぞれ位置し、吸い込み側通気孔７１と開口端８Ｂが、吐き出し側通気孔７２と開口端８Ａが、それぞれ対向するようになっている。そして、吸い込み側通気孔７１の径Ｒ２  は、通路８１の貫通孔の径Ｒ１  より小さく（Ｒ１  ＞Ｒ２  ）、また、吐き出し側通気孔７２の径Ｒ２  は、通路８１の貫通孔の径Ｒ１  より小さくなっている（Ｒ１  ＞Ｒ２  ）。
また、ルア−本体８０の飛行姿勢を前向き姿勢に安定させるために、両開口端８Ａ、８Ｂの内、道糸４に取り付けた部分に近い側の開口端８Ａより遠い側の開口端８Ｂに近い側の先端部に他のルア−本体８０の部分の比重より重いバランスウエ−ト８２を設けることが望ましい。
【００１１】
従って、使用者が竿１を持って遠投すると、図４に示すように、ルア−本体８０の通路８１内に空気が導かれ、この空気が吸い込み側通気孔７１、吐き出し側通気孔７２を通り抜けることにより音が発生する。
その結果、ルア−８（擬似餌）によれば、音の発生によりおもしろさが増すと共に、ルア−８（擬似餌）の遠投方向の位置を音により確認することができ、目視では飛行位置を確認できない夜間においては、特に有効であり、更に、投げ損じたルア−８（擬似餌）が音を発することにより、他人へ注意を喚起させ、危険をも回避させることが可能となる。
【００１２】
（実施例３）
上述の実施例は、笛７をルア−８（擬似餌）に設けたが、本発明にあってはこれに限らず、例えば、図５及び図６に示すように、釣り用浮き９にも同様に適用できるものである。なお、図５及び図６においては、図１及び図２と同一部分に同一符号を付して、その説明を一部省略している。
釣り用浮き９は、内部に貫通するように設けられた通路９１を有する釣り用浮き本体９０と、通路９１に連通するように設けられた笛７とを備えている。ここで、「通路９１に連通するように設けられ」とは、図６に示すように、通路９１の中途に笛７が設けられている場合の他、図示しないが、通路９１の端部に笛７が設けられている場合は勿論のこと、図示しないが、通路９１に連通すると共に、通路９１の端部の外側に笛７が設けられている場合をも含む意であり、笛７の吸い込み側通気孔７１は、通路９１に連通している。
釣り用浮き本体９０は長手形状部材で、通路９１は釣り用浮き本体９０の長手方向に沿うように設けられている。笛７は通路９１の両開口端９Ａ、９Ｂの内、道糸４に取り付けた部分に遠い側の開口端９Ｂより近い側の開口端９Ａに近い側に位置している。
開口端９Ａは空気吸い込み口で、開口端９Ｂは空気吐き出し口となっている。
笛７は中空体で、笛７の一方には吸い込み側通気孔７１が、笛７の他方には吐き出し側通気孔７２が、それぞれ位置し、吸い込み側通気孔７１と開口端９Ａが、吐き出し側通気孔７２と開口端９Ｂが、それぞれ対向するようになっている。そして、吸い込み側通気孔７１の径Ｒ２  は、通路９１の貫通孔の径Ｒ１  より小さく（Ｒ１  ＞Ｒ２  ）、また、吐き出し側通気孔７２の径Ｒ２  は、通路９１の貫通孔の径Ｒ１  より小さくなっている（Ｒ１  ＞Ｒ２  ）。
【００１３】
従って、使用者が竿１を持って遠投すると、図６に示すように、釣り用浮き本体９０の通路９１内に空気が導かれ、この空気が吸い込み側通気孔７１、吐き出し側通気孔７２を通り抜けることにより音が発生する。
その結果、釣り用浮き９によれば、音の発生によりおもしろさが増すと共に、釣り用浮き９の遠投方向の位置を音により確認することができ、目視では飛行位置を確認できない夜間においては、特に有効であり、更に、投げ損じた釣り用浮き９が音を発することにより、他人へ注意を喚起させ、危険をも回避させることが可能となる。
なお、場合により、図６に破線で示すように、中空のキャップ１０を開口端９Ｂに接続するようにしても良い。５’は錘である。
【００１４】
（実施例４）
上述の実施例は、通路５１、７１、９１への空気吸い込み口は、単一であったが、複数でも良いし、また、笛７の吸い込み側通気孔７１は通路５１、７１、９１に連通するように、錘本体、ルア−本体、釣り用浮き本体に対して着脱自在に設けるようにしても良い。
図７乃至図９に示すように、一実施例として、釣り用錘５について説明するが、釣り用浮き、ルア−にも同様に適用できるものである。
即ち、釣り用錘５は、内部に貫通するように設けられた通路５１を有する錘本体５０と、通路５１に連通するように設けられた笛７とを備え、通路５１の空気吸い込み口としての開口端５Ｂは、複数設けられ、本実施例では、例えば、通路５１の空気吸い込み口としての開口端５Ｂは、錘本体５０の端部のみならず、錘本体５０の側面にも設けられている。
なお、図示しないが、釣り用浮きにあっては、内部に貫通するように設けられた通路を有する釣り用浮き本体と、前記通路に連通するように設けられた笛とを備え、前記通路の空気吸い込み口としての開口端は、複数設けられている。また、図示しないが、ルア−にあっては、内部に貫通するように設けられた通路を有するルア−本体と、前記通路に連通するように設けられた笛とを備え、前記通路の空気吸い込み口としての開口端は、複数設けられている。
また、笛７の吸い込み側通気孔７１は通路５１に連通するように、錘本体５０に対して着脱自在に設けられている。具体的には、７’は笛７を有した笛本体で、笛本体７’は先端に雄螺子７１が設けられ、この雄螺子７１に螺合する雌螺子５２が通路５１の内壁に設けられている。このように笛７を通路５１に連通するように、錘本体５０に対して着脱自在に設けることにより、笛７が破損した場合、容易に交換でき、また、笛７の吸い込み側通気孔７１、吐き出し側通気孔７２の径の大きさが異なるものを複数用意し、状況に応じて音の異なる笛７を適宜選択して使用しても良い。
なお、笛７の吸い込み側通気孔７１、吐き出し側通気孔７２の径を小さくすると音は高くなり、笛７の吸い込み側通気孔７１、吐き出し側通気孔７２の径を大きくすると音は低くなる。
【００１５】
【発明の効果】
請求項１記載の釣り用錘によれば、遠投する際、錘本体の通路に導かれた空気が吸い込み側通気孔、吐き出し側通気孔を通過し音が発生するため、音の発生によりおもしろさが増すと共に、釣り用錘の遠投方向の位置を音により確認することができ、目視では飛行位置を確認できない夜間においては、特に有効であり、更に、投げ損じた釣り用錘が音を発することにより、他人へ注意を喚起させ、危険をも回避させることが可能となる等の効果を奏する。
【００１６】
請求項２記載のルア−によれば、遠投する際、ルア−本体の通路に導かれた空気が吸い込み側通気孔、吐き出し側通気孔を通過し音が発生するため、音の発生によりおもしろさが増すと共に、ルア−の遠投方向の位置を音により確認することができ、目視では飛行位置を確認できない夜間においては、特に有効であり、更に、投げ損じたルア−が音を発することにより、他人へ注意を喚起させ、危険をも回避させることが可能となる等の効果を奏する。
【００１７】
請求項３記載の釣り用浮きによれば、遠投する際、浮き本体の通路に導かれた空気が吸い込み側通気孔、吐き出し側通気孔を通過し音が発生するため、音の発生によりおもしろさが増すと共に、釣り用浮きの遠投方向の位置を音により確認することができ、目視では飛行位置を確認できない夜間においては、特に有効であり、更に、投げ損じた釣り用浮きが音を発することにより、他人へ注意を喚起させ、危険をも回避させることが可能となる等の効果を奏する。
【図面の簡単な説明】
【図１】図１は、本発明の一実施例の釣り用錘を遠投した状態の概略的図である。
【図２】図２は、図１の釣り用錘を拡大して示す概略的拡大断面図である。
【図３】図３は、本発明の一実施例のルア−を遠投した状態の概略的図である。
【図４】図４は、図３のルア−を拡大して示す概略的拡大断面図である。
【図５】図５は、本発明の一実施例の釣り用浮きを遠投した状態の概略的図である。
【図６】図６は、図５の釣り用浮きを拡大して示す概略的拡大断面図である。
【図７】図７は、図２の釣り用錘と異なる他の実施例の概略的拡大断面図である。
【図８】図８は、図７の概略的断面図である。
【図９】図９は、図８の９−９線の概略的断面図である。
【符号の説明】
５            釣り用錘
７            笛
５０            錘本体
５１            通路
【図１】
2004159605.tif 000003
【図２】
2004159605.tif 000004
【図３】
2004159605.tif 000005
【図４】
2004159605.tif 000006
【図５】
2004159605.tif 000007
【図６】
2004159605.tif 000008
【図７】
2004159605.tif 000009
【図８】
2004159605.tif 000010
【図９】
2004159605.tif 000011